(57)【要約】【課題】多様化しているペットボトルの注ぎ口に共通して装着することができ、しかも、内容物の漏れを防止するペットボトル用吸い口を提供する。【解決手段】弾性材にてペットボトルＰの注ぎ口Ｐ１に弾性密着する固定部１０を形成する。該固定部１０から注ぎ口Ｐ１の上方に吸い口部２０を延長する。吸い口部２０の内部に流量を規制する規制突条２１を螺旋状に突設する。固定部１０の内部に嵌合凹部１１を凹設する。嵌合凹部１１をペットボトルＰのフランジＰ２に嵌合させる。固定部１０の内部に係止突起１２を突設する。該係止突起１２を注ぎ口Ｐ１の開口端部に係止させる。嵌合凹部１１と係止突起１２とを介して注ぎ口Ｐ１の外周に固定部１０を弾性密着する。【選択図】  図１
0003191054.tif 000002
【実用新案登録請求の範囲】
【請求項１】
弾性材にて形成されペットボトルの注ぎ口に被着するキャップ形状を成し、注ぎ口の外周に弾性密着する固定部と、該固定部から注ぎ口の上方に延長され内部に流量を規制する規制突条を螺旋状に突設した吸い口部とが形成され、
ペットボトルの注ぎ口の外周に形成されているフランジに嵌合せしめる嵌合凹部を固定部の内部に凹設すると共に、注ぎ口の開口端部に係止せしめる係止突起を固定部の内部に突設し、これら嵌合凹部と係止突起とを介して注ぎ口の外周に固定部を弾性密着するように構成したことを特徴とするペットボトル用吸い口。
【請求項２】
前記吸い口部は、前記固定部から延長される口唇当接部と、該口唇当接部から延長された銜え部とで形成され、該銜え部の先端にスリット状の吸引孔を形成し、該吸引孔は前記吸い口部の弾性力で密封されるように構成した請求項１記載のペットボトル用吸い口。
【請求項３】
前記吸い口部側から前記固定部の上に被着するキャップ形状のカバー体を形成し、該カバー体を被着した状態で前記固定部を前記ペットボトルの注ぎ口外周に弾性密着せしめるように構成した請求項１記載のペットボトル用吸い口。
【考案の詳細な説明】
【技術分野】
【０００１】
本考案は、例えば介護老人などがペットボトルの口部から任意の飲み物を飲めるように構成したペットボトル用吸い口に関するものである。
【背景技術】
【０００２】
哺乳瓶の乳首とペットボトルの注ぎ口を連結する連結器具が特許文献１に記載されている。この連結器具は、ペットボトルの注ぎ口にネジ止めして哺乳瓶用の乳首をペットボトルに装着するもので、哺乳瓶を使用している乳幼児に対し、ペットボトルの内容物を哺乳瓶に移しかえることなく、乳幼児にペットボトルの内容物を飲ませることができるように構成したものである。
【０００３】
特許文献１のように、ペットボトルの注ぎ口に乳幼児用の乳首を連結すると、乳幼児は使用することは可能でも、吸引力の違いから介護老人のような成人が使用することはできなかった。
【０００４】
そこで当考案者は、特許文献２に記載のごとく、介護老人などでも使用できるように構成したペットボトル用乳首を提案している。
【０００５】
このペットボトル用乳首では、ペットボトルの注ぎ口にネジ止めする硬質性の連結環体と、該連結環体に装着された軟質性の乳首本体とで構成し、乳首本体の内部に螺旋状の規制突条を設け、注ぎ口からの流量を調整できるようにすることで、成人の使用を可能にしたものである。
【先行技術文献】
【特許文献】
【０００６】
【特許文献１】特開２０１２−２４５１８５号公報
【特許文献２】実用新案登録第３１８６２２２号公報
【考案の概要】
【考案が解決しようとする課題】
【０００７】
ところが、ペットボトルの注ぎ口のサイズには公的な規格がなく、同じ口径の注ぎ口でもメーカーによって注ぎ口やキャップの形状が変更されている。例えば、注ぎ口のねじの巻き数が少ないものや、ねじの巻き数が多く且つ縦溝が４箇所に設けてあるものなど、ペットボトルの使用目的に応じて様々な注ぎ口やキャップが使用されているのが現状である。
【０００８】
したがって、同じメーカーにおける同一口径の注ぎ口であっても互換性のないキャップも存在する。仮に、互換性のないキャップを使用した場合には末端までねじが締まらずに空回りするなど内容物が漏れる虞もあった。
【０００９】
このように、従来の連結器具のようにペットボトルの注ぎ口にネジ止めするキャップのような構成を採用すると、ネジ止め可能なペットボトルの種類が限られる不都合があった。
【００１０】
一方、ペットボトルの注ぎ口には、注ぎ口の変形を防止する強化用のフランジが形成されている。しかも、このフランジは、ペットボトルに例外なく形成されている。そこで当考案者は、このフランジの構造に着目し、多様化しているペットボトルの注ぎ口に共通して装着することができ、しかも、内容物の漏れを防止し、成人の使用にも好適なペットボトル用吸い口の提供を目的とするものである。
【課題を解決するための手段】
【００１１】
上述の目的を達成すべく本考案における第１の手段は、弾性材にて形成されペットボトルＰの注ぎ口Ｐ１に被着するキャップ形状を成し、注ぎ口Ｐ１の外周に弾性密着する固定部１０と、該固定部１０から注ぎ口Ｐ１の上方に延長され内部に流量を規制する規制突条２１を螺旋状に突設した吸い口部２０とが形成され、ペットボトルＰの注ぎ口Ｐ１の外周に形成されているフランジＰ２に嵌合せしめる嵌合凹部１１を固定部１０の内部に凹設すると共に、注ぎ口Ｐ１の開口端部に係止せしめる係止突起１２を固定部１０の内部に突設し、これら嵌合凹部１１と係止突起１２とを介して注ぎ口Ｐ１の外周に固定部１０を弾性密着するように構成したことにある。
【００１２】
第２の手段において、前記吸い口部２０は、前記固定部１０から延長される口唇当接部２０Ａと、該口唇当接部２０Ａから延長された銜え部２０Ｂとで形成され、該銜え部２０Ｂの先端にスリット状の吸引孔２２を形成し、該吸引孔２２は前記吸い口部２０の弾性力で密封されるように構成したものである。
【００１３】
第３の手段は、前記吸い口部２０側から前記固定部１０の上に被着するキャップ形状のカバー体３０を形成し、該カバー体３０を被着した状態で前記固定部１０を前記ペットボトルＰの注ぎ口Ｐ１外周に弾性密着せしめるように構成したことにある。
【考案の効果】
【００１４】
本考案の請求項１によると、嵌合凹部１１と係止突起１２で注ぎ口Ｐ１の外周に固定部１０を弾性密着するように構成したことにより、多様化しているペットボトルの注ぎ口に共通して装着可能になり、しかも、内容物の漏れを確実に防止できる。
【００１５】
しかも、吸い口部２０内部に流量を規制する規制突条２１を螺旋状に突設したことにより、注ぎ口からの流量を一定に制限することができる。この結果、ペットボトルの注ぎ口から直接供給する場合、ペットボトルの容量の増加や、ボトルの変形などで水圧が高まっても、注ぎ口からの流量を調整することが可能になる。
【００１６】
請求項２のように、吸い口部２０は、前記固定部１０から延長される口唇当接部２０Ａと、該口唇当接部２０Ａから延長された銜え部２０Ｂとで形成され、該銜え部２０Ｂの先端にスリット状の吸引孔２２を形成し、該吸引孔２２は前記吸い口部２０の弾性力で密封されるように構成したことで、不使用時の吸引孔２２は密封状態になり内容物の漏れを防止することができる。
【００１７】
しかも、銜え部２０Ｂの銜え加減で吸引孔２２から排出される流量が調整されるので、使用者は、直感的に好みの流量で吸い込むことができる。したがって、寝たきりの介護老人や病人等に水分や電解質を補給する場合、健康飲料やスポーツドリンクなどをペットボトルＰから直接与えることができる。
【００１８】
請求項３のように、吸い口部２０側から固定部１０の上に被着するキャップ形状のカバー体３０を形成し、該カバー体３０を被着した状態で固定部１０をペットボトルＰの注ぎ口Ｐ１外周に弾性密着せしめるように構成したことにより、固定部１０や吸い口部２０を衛生的に取り扱うことができる。しかも、固定部１０はカバー体３０を介して操作可能な状態になるので、固定部１０の嵌合凹部１１をフランジＰ２に嵌合する操作も容易になる。この結果、固定部１０を注ぎ口Ｐ１外周に弾性密着せしめる場合に、衛生的で容易な装着が可能になるものである。
【図面の簡単な説明】
【００１９】
【図１】本考案の一実施例を示す分解断面図である。
【図２】本考案の装着状態を示す断面図である。
【考案を実施するための形態】
【００２０】
本考案によると、多様化しているペットボトルの注ぎ口に共通して装着することができ、しかも、内容物の漏れを防止し、成人の使用にも好適になるなどといった当初の目的を達成した。
【００２１】
本考案は、弾性材にて形成されるもので、ペットボトルＰの注ぎ口Ｐ１に被着するキャップ形状を成している。すなわち、注ぎ口Ｐ１の外周に弾性密着する固定部１０と、該固定部１０から注ぎ口Ｐ１の先端方向に延長された吸い口部２０とを形成したものである（図１参照）。更に、吸い口部２０側から固定部１０の上に被着するキャップ形状のカバー体３０を形成している。
【００２２】
固定部１０には、嵌合凹部１１と係止突起１２とが形成されている。嵌合凹部１１は、ペットボトルＰの注ぎ口Ｐ１の外周に形成されているフランジＰ２に嵌合せしめる部位で、固定部１０の内部に凹設している（図２参照）。このフランジＰ２は、ペットボトルＰによってサイズが異なるものであるが、本考案は、固定部１０の弾性力によってすべてのペットボトルＰのフランジＰ２に嵌合できるサイズに形成している。また、図示の嵌合凹部１１は、フランジＰ２に係止されているキャップの切離し部分Ｐ３まで収納している。
【００２３】
一方、係止突起１２は、ペットボトルＰの注ぎ口Ｐ１の開口端部に係止せしめる部位である（図２参照）。この係止突起１２は、固定部１０の内部に突設している。そして、これら嵌合凹部１１と係止突起１２とを介して注ぎ口Ｐ１の外周に固定部１０を弾性密着するように構成している。ペットボトルＰのフランジＰ２から注ぎ口Ｐ１の開口端部に至る長さは、ペットボトルＰによって長さが異なるものであるが、本考案は、固定部１０の弾性力によってすべての長さに適応するように形成している。
【００２４】
吸い口部２０は、固定部１０から延長される口唇当接部２０Ａと、銜え部２０Ｂとで形成されている（図１参照）。口唇当接部２０Ａの内部には、吸引時の流量を規制する規制突条２１を螺旋状に突設している。そして、口唇当接部２０Ａの当接加減で銜え部２０Ｂから排出される流量が調整されるように構成したものである。口唇当接部２０Ａや規制突条２１は、成人用又は乳幼児用でサイズが異なるものである。
【００２５】
銜え部２０Ｂは、該口唇当接部２０Ａから延長された部位で、先端にスリット状の吸引孔２２を形成している（図１参照）。この吸引孔２２は吸い口部２０の弾性力で密封されるように構成したものである。この銜え部２０Ｂや吸引孔２２も成人用又は乳幼児用でサイズが異なるものである。
【００２６】
カバー体３０は、吸い口部２０側から固定部１０まで被着するキャップ形状の部材である（図２参照）。このカバー体３０は、不使用時の吸い口部２０をカバーして内容物の漏洩を防止すると共に、固定部１０をフランジＰ２に嵌着する場合にも使用する。
【００２７】
すなわち、固定部１０にカバー体３０を被着した状態で、ペットボトルＰの注ぎ口Ｐ１外周に嵌め込み、嵌合凹部１１と係止突起１２の位置が正常な位置に収まったところでカバー体３０を外して吸い口部２０から吸引するものである。
【００２８】
図示のカバー体３０は、固定部１０の外周に密着する弾性材にて形成されている（図２参照）。このカバー体３０によると、嵌合凹部１１をフランジＰ２に嵌合する場合、固定部１０と共にカバー体３０も変形するものである。また、カバー体３０を硬質のプラスチックで形成することも可能である。この場合、カバー体３０と固定部１０との間に間隙を設け、この間隙内で嵌合凹部１１が変形できるように構成する（図示せず）。
【００２９】
尚、本考案の固定部１０や吸い口部２０、カバー体３０などの各構成は図示例に限定されるものではなく、本考案の要旨を変更しない範囲で自由に設計変更できるものである。
【符号の説明】
【００３０】
Ｐ  ペットボトル
Ｐ１  注ぎ口
Ｐ２  フランジ
Ｐ３  切離し部分
１０  固定部
１１  嵌合凹部
１２  係止突起
２０  吸い口部
２０Ａ  口唇当接部
２０Ｂ  銜え部
２１  規制突条
２２  吸引孔
３０  カバー体
【図１】
0003191054.tif 000003
【図２】
0003191054.tif 000004